(57)【要約】【課題】所定のインダクタンス値が設定されたアンテナコイルとして適切な巻線型インダクタ部品を提供すること。【解決手段】巻線型インダクタ部品１０は、第１の方向Ｌｄに延びる柱状の軸部２１と、軸部２１の第１端部，第２端部にそれぞれ設けられた第１支持部２２，第２支持部２３とを有するコア２０と、第１支持部２２，第２支持部２３にそれぞれ設けられた第１端子電極４１，第２端子電極４２と、軸部２１に巻回された巻線部６１と、第１端子電極４１，第２端子電極４２にそれぞれ接続された第１端，第２端を有するワイヤ６０と、を備える。巻線部６１は、所定のインダクタンス値に対して、軸部２１に巻回されたターン数が多くなるように、第１の方向Ｌｄにおける隣り合うターンの間隔が設定されている。【選択図】図１
2020136393.tif 000002
【特許請求の範囲】
【請求項１】
第１の方向に延びる柱状の軸部と、前記軸部の前記第１の方向における第１端部，第２端部にそれぞれ設けられた第１支持部，第２支持部とを有するコアと、
前記第１支持部，前記第２支持部にそれぞれ設けられた第１端子電極，第２端子電極と、
前記軸部に巻回された巻線部と、前記第１端子電極，前記第２端子電極にそれぞれ接続された第１端，第２端とを有するワイヤと、
を備え、
前記巻線部は、所定のインダクタンス値に対して、前記軸部に巻回されたターン数が多くなるように、前記第１の方向における隣り合うターンの間隔が設定されている、
巻線型インダクタ部品。
【請求項２】
前記ターン数は１８以上３０以下であり、周波数が１０ＭＨｚの入力信号に対して３．７μＨ±１０％のインダクタンス値を示す、請求項１に記載の巻線型インダクタ部品。
【請求項３】
前記ターン数は２０以上２３以下であり、周波数が１０ＭＨｚの入力信号に対して３．７μＨ±５％のインダクタンス値を示す、請求項２に記載の巻線型インダクタ部品。
【請求項４】
前記ターン数は２１であり、周波数が１０ＭＨｚの入力信号に対して３．７μＨ±５％のインダクタンス値を示す、請求項１に記載の巻線型インダクタ部品。
【請求項５】
周波数が１０ＭＨｚの入力信号に対して２６．５以上１００以下のＱ値を示す、請求項１から請求項４の何れか一項に記載の巻線型インダクタ部品。
【請求項６】
周波数が１０ＭＨｚの入力信号に対して３５以上６０以下のＱ値を示す、請求項５に記載の巻線型インダクタ部品。
【請求項７】
前記軸部は、長さ寸法が３ｍｍ以上６ｍｍ以下であり、幅寸法が１．５ｍｍ以上２．７ｍｍ以下であり、高さ寸法が１．５ｍｍ以上２．７ｍｍ以下である、請求項１から請求項６の何れか一項に記載の巻線型インダクタ部品。
【請求項８】
前記軸部は、長さ寸法が５ｍｍであり、幅寸法が２ｍｍであり、高さ寸法が２ｍｍである、請求項７に記載の巻線型インダクタ部品。
【請求項９】
前記コアは、長さ寸法が４ｍｍ以上７ｍｍ以下であり、幅寸法が２．０ｍｍ以上３．２ｍｍ以下であり、高さ寸法が２．０ｍｍ以上３．２ｍｍ以下である、請求項１から請求項８の何れか一項に記載の巻線型インダクタ部品。
【請求項１０】
前記コアは、長さ寸法が５．５ｍｍであり、幅寸法が２．５ｍｍであり、高さ寸法が２．５ｍｍである、請求項９に記載の巻線型インダクタ部品。
【請求項１１】
前記第１端子電極及び第２端子電極は、前記第１支持部及び第２支持部の底面から上端までの高さ寸法が１００μｍ以上２００μｍ以下である、請求項１から請求項１０の何れか一項に記載の巻線型インダクタ部品。
【請求項１２】
前記第１端子電極及び前記第２端子電極は、前記第１支持部及び第２支持部の底面から上端までの高さ寸法が１５０μｍである、請求項１１に記載の巻線型インダクタ部品。
【請求項１３】
前記巻線部の隣り合うターンの間隔が１００μｍ以上２００μｍ以下である部分が存在する、請求項１から請求項１２の何れか一項に記載の巻線型インダクタ部品。
【請求項１４】
前記巻線部の隣り合うターンの間隔が１５０μｍである部分が存在する、請求項１３に記載の巻線型インダクタ部品。
【請求項１５】
前記巻線部の隣り合うターンの間隔は、前記巻線部の両端を除いて均一である、請求項１３又は１４に記載の巻線型インダクタ部品。
【請求項１６】
前記巻線部の巻幅は、前記軸部の長さ寸法の７０％以上である、請求項１３から請求項１５の何れか一項に記載の巻線型インダクタ部品。
【請求項１７】
前記ワイヤの芯線の直径は、３０μｍ以上１００μｍ以下である、請求項１から請求項１６の何れか一項に記載の巻線型インダクタ部品。
【請求項１８】
前記ワイヤの芯線の直径は、５０μｍ以上７０μｍ以下である、請求項１７に記載の巻線型インダクタ部品。
【請求項１９】
前記コアは、比透磁率が５０以上１００以下の材料からなる、請求項１から請求項１８の何れか一項に記載の巻線型インダクタ部品。
【発明の詳細な説明】
【技術分野】
【０００１】
本開示は、コアに巻回されたワイヤを有する巻線型インダクタ部品に関する。
【背景技術】
【０００２】
従来、巻線型インダクタ部品は、種々の電子機器に搭載されている。巻線型インダクタ部品は、コアと、コアに巻回されたワイヤとを有している（例えば、特許文献１参照）。
【先行技術文献】
【特許文献】
【０００３】
【特許文献１】特開２０１７−１６３０９９号公報
【発明の概要】
【発明が解決しようとする課題】
【０００４】
ところで、上述の巻線型インダクタ部品は、例えば、無線通信回路のアンテナコイルのように、外部から巻線型インダクタ部品に入射した磁束により巻線型インダクタ部品に生じる電気信号を出力する用途に用いられる場合がある。また、アンテナコイルに用いられる巻線型インダクタ部品においては、並列共振回路の共振周波数を所定のキャリア周波数に同調させるため、所定のインダクタンス値が設定される場合がある。
【０００５】
本開示の目的は、所定のインダクタンス値が設定されたアンテナコイルとして適切な巻線型インダクタ部品を提供することにある。
【課題を解決するための手段】
【０００６】
本開示の一態様である巻線型インダクタ部品は、第１の方向に延びる柱状の軸部と、前記軸部の前記第１の方向における第１端部，第２端部にそれぞれ設けられた第１支持部，第２支持部とを有するコアと、前記第１支持部，第２支持部にそれぞれ設けられた第１端子電極，第２端子電極と、前記軸部に巻回された巻線部と、前記第１端子電極，前記第２端子電極にそれぞれ接続された第１端，第２端を有するワイヤと、を備え、前記巻線部は、所定のインダクタンス値に対して、前記軸部に巻回されたターン数が多くなるように、前記第１の方向における隣り合うターンの間隔が設定されている。
【０００７】
この構成によれば、所定のインダクタンス値が設定されたアンテナコイルとして適切な巻線型インダクタ部品を提供できる。
【発明の効果】
【０００８】
本開示の一態様によれば、所定のインダクタンス値が設定されたアンテナコイルとして適切な巻線型インダクタ部品を提供できる。
【図面の簡単な説明】
【０００９】
【図１】一実施形態の巻線型インダクタ部品の概略正面図。
【図２】一実施形態の巻線型インダクタ部品の概略端面図。
【図３】一実施形態の巻線型インダクタ部品の概略斜視図。
【図４】使用例の一例を示す並列共振回路の回路図。
【図５】変更例の巻線型インダクタ部品の正面図。
【発明を実施するための形態】
【００１０】
以下、本開示の一態様である巻線型インダクタ部品の一実施形態を説明する。
なお、添付図面は、理解を容易にするために構成要素を拡大して示している場合がある。構成要素の寸法比率は実際のものと、または別の図面中のものと異なる場合がある。
【００１１】
図１、図２及び図３に示す巻線型インダクタ部品１０は、例えば回路基板等に実装される表面実装型の巻線型インダクタ部品である。回路基板は、例えば、近距離無線通信の通信回路が実装された基板である。巻線型インダクタ部品１０は、近距離無線通信のための送信／受信アンテナとして利用される。例えば、図４に示すように、近距離無線通信機に用いられる並列共振回路は、巻線型インダクタ部品１０、抵抗１０１、コンデンサ１０２を備える。巻線型インダクタ部品１０は、抵抗１０１と直列に接続され、巻線型インダクタ部品１０と抵抗１０１の直列回路に対して並列にコンデンサ１０２が接続される。
【００１２】
本実施形態の巻線型インダクタ部品１０は、コア２０と、第１端子電極４１及び第２端子電極４２と、ワイヤ６０とを有する。コア２０は、第１の方向Ｌｄに延びる柱状の軸部２１と、第１の方向における軸部２１の第１端部，第２端部にそれぞれ設けられた第１支持部２２，第２支持部２３とを有している。軸部２１は例えば四角柱状であるが、他の多角形柱状や円柱状、錐体状であってもよい。第１支持部２２と第２支持部２３は、軸部２１の第１端と第２端とからそれぞれ第１の方向Ｌｄと直交する第２の方向Ｔｄ及び第３の方向Ｗｄに延びる主面が四角形の板状である。第１支持部２２及び第２支持部２３は、軸部２１を実装対象（回路基板）と平行に支持する。第１支持部２２及び第２支持部２３は、軸部２１と一体である。
【００１３】
第１端子電極４１は、第１支持部２２の底面３６に設けられ、第２端子電極４２は、第２支持部２３の底面３６に設けられている。なお第１支持部２２の底面３６、第２支持部２３の底面３６は、第２の方向Ｔｄの一方側（図２における紙面下側）の面である。
【００１４】
ワイヤ６０は、第１の方向Ｌｄが巻回軸となるように軸部２１に巻回された巻線部６１を有している。巻線部６１は、軸部２１に対して単一の層を形成するように、軸部２１に直接巻回されている。ワイヤ６０は、第１端子電極４１，第２端子電極４２にそれぞれ接続された第１端６２，第２端６３を有している。本実施形態の巻線型インダクタ部品１０の巻線部６１は、後述するように、所定のインダクタンス値に対して、軸部２１に巻回されたターン数がなるべく多くなるように、第１の方向Ｌｄにおいて隣り合うターンの間隔が設定されている。
【００１５】
なお、軸部２１、第１支持部２２，第２支持部２３は、角部や稜線部が面取りされた形状や、角部や稜線部が丸められた形状であってもよい。また、軸部２１、第１支持部２２，第２支持部２３の主面、端面、側面の一部又は全部に凹凸などが形成されていてもよい。また、軸部２１、第１支持部２２，第２支持部２３では対向する面が必ずしも完全に平行となっている必要はなく、多少の傾きがあってもよい。
【００１６】
本明細書において、第２の方向Ｔｄは、第１の方向Ｌｄに垂直な方向のうち、巻線型インダクタ部品１０が回路基板に実装された際、回路基板と垂直となる方向であり、第３の方向Ｗｄは、第１の方向Ｌｄに垂直な方向のうち、回路基板と平行となる方向となる。したがって、第２の方向Ｔｄは、第１端子電極４１と第２端子電極４２とが形成された第１支持部２２と第２支持部２３の底面３６に垂直な方向であり、第３の方向Ｗｄは、底面３６に平行な方向となる。
【００１７】
巻線型インダクタ部品１０において、第１の方向Ｌｄの大きさ（長さ寸法Ｌ１）は、４ｍｍ以上、７ｍｍ以下が好ましい。本実施形態の巻線型インダクタ部品１０の長さ寸法Ｌ１は、例えば５．５ｍｍである。また、巻線型インダクタ部品１０において、第３の方向Ｗｄの大きさ（幅寸法Ｗ１）は、２ｍｍ以上、３．２ｍｍ以下であることが好ましい。本実施形態の巻線型インダクタ部品１０の幅寸法Ｗ１は、例えば２．５ｍｍである。また、巻線型インダクタ部品１０において、第２の方向Ｔｄの大きさ（高さ寸法Ｔ１）は、２ｍｍ以上、３．２ｍｍ以下であることが好ましい。本実施形態の巻線型インダクタ部品１０の高さ寸法Ｔ１は、例えば２．５ｍｍである。
【００１８】
軸部２１の第１の方向Ｌｄの大きさ（長さ寸法Ｌ２）は、３ｍｍ以上、６ｍｍ以下が好ましい。本実施形態の軸部２１の長さ寸法Ｌ２は、例えば５ｍｍである。また、軸部２１の第３の方向Ｗｄの大きさ（幅寸法Ｗ２）は、１．５ｍｍ以上、２．７ｍｍ以下であることが好ましい。本実施形態の軸部２１の幅寸法Ｗ２は、２ｍｍである。また、軸部２１の第２の方向Ｔｄの大きさ（高さ寸法Ｔ２）は、１．５ｍｍ以上、２．７ｍｍ以下であることが好ましい。本実施形態の軸部２１の高さ寸法Ｔ２は、２ｍｍである。
【００１９】
第１支持部２２，第２支持部２３は、上述した第１端子電極４１，第２端子電極４２が形成された底面３６の他に、軸部２１の側を向く内面３１と、内面３１の反対側を向く端面３２と、内面３１及び底面３６に垂直な一対の側面３３，３４と、底面３６の反対側を向く上面３５とを有している。第１支持部２２の内面３１は、第２支持部２３の内面３１と対向している。
【００２０】
コア２０は、例えば、ニッケル（Ｎｉ）−亜鉛（Ｚｎ）系フェライト、マンガン（Ｍｎ）−Ｚｎ系フェライト、アルミナ等の焼結体、樹脂、金属磁性粉含有樹脂などの成形体などである。
【００２１】
第１端子電極４１，第２端子電極４２は、例えば、銀（Ａｇ）を含むガラスペーストを塗布焼き付けた下地層と、下地層の表面に形成された銅（Ｃｕ）、Ｎｉ、スズ（Ｓｎ）等のめっき層で構成される。第１端子電極４１，第２端子電極４２は、底面３６を覆う底面部電極５１だけでなく内面３１，端面３２、側面３３，３４側に一部が回り込んだ側面部電極５２を有している。底面部電極５１は、第１支持部２２，第２支持部２３の底面３６の全体を覆っている。側面部電極５２は、第１支持部２２，第２支持部２３の内面３１，端面３２，側面３３，３４の一部（下側部分）を覆っている。
【００２２】
ワイヤ６０は、例えば円形状の断面を有する芯線と、芯線の表面を被覆する被覆材とを含む。芯線の材料としては、例えば、ＣｕやＡｇ等の導電性材料を主成分とすることができる。被覆材の材料としては、例えばポリウレタン、ポリエステル、ポリアミドイミド等の絶縁樹脂材料を用いることができる。本実施形態において、ワイヤ６０の芯線の直径は約６０μｍである。被覆材の厚さは、例えば４μｍである。
【００２３】
図１に示すように、ワイヤ６０は、軸部２１に巻回された巻線部６１と、第１端子電極４１，第２端子電極４２にそれぞれ接続された第１端６２，第２端６３、第１端６２，第２端６３と巻線部６１との間に掛け渡された渡り部６４，６５とを有している。第１端６２，第２端６３は、第１端子電極４１，第２端子電極４２のうち、底面部電極５１に熱圧着され、芯線が第１端子電極４１，第２端子電極４２に接続されている。
【００２４】
（作用）
次に、上記の巻線型インダクタ部品１０の作用を説明する。
巻線型インダクタ部品１０は、第１の方向Ｌｄに延びる柱状の軸部２１と、軸部２１の第１の方向Ｌｄにおける第１端部，第２端部にそれぞれ設けられた第１支持部２２，第２支持部２３とを有するコア２０と、第１支持部２２，第２支持部２３のそれぞれに設けられた第１端子電極４１，第２端子電極４２と、軸部２１に巻回された巻線部６１と、第１端子電極４１，第２端子電極４２にそれぞれ接続された第１端６２，第２端６３とを有するワイヤ６０と、を備える。巻線部６１は、所定のインダクタンス値に対して、軸部２１に巻回されたターン数が多くなるように、第１の方向Ｌｄにおいて隣り合うターンの間隔が設定されている。
【００２５】
ここで、巻線型インダクタ部品１０がアンテナコイルとして用いられる場合に外部から入射した磁束により発生する誘導電圧について説明する。誘導電圧は、アンテナコイルの性能を測る指標であり、できるだけ高いことが好ましい。
【００２６】
ファラデーの電磁誘導の法則（Ｖ＝−Ｎ（ΔΦ／Δｔ））より、一定磁界Ｈ（Ｈ＝Ｂ／μ０）に置いたアンテナコイルとしての巻線型インダクタ部品１０に発生する誘導電圧Ｖinducedは下式で表せる。
【００２７】
【数１】
2020136393.tif 000003
なお、上記の式において、μ０：真空透磁率、μrod：比透磁率、Ａrod：軸部断面積、Ｎ：ターン数、ｆc：キャリア周波数、である。
【００２８】
上記の式から、磁界Ｈ、比透磁率μrod、軸部断面積Ａrod、キャリア周波数ｆｃなどが一定の条件においては、ターン数Ｎが多いほど大きな誘導電圧Ｖinducedが得られることがわかる。一方、前述したように、所定のインダクタンス値が設定されたアンテナコイルにおいては、ターン数Ｎとインダクタンス値との相関関係により、自由にターン数Ｎを設定することはできない。
【００２９】
本実施形態の巻線型インダクタ部品１０では、巻線部６１が所定のインダクタンス値に対して、軸部２１に巻回されたターン数が多くなるように、第１の方向Ｌｄにおいて隣り合うターンの間隔が設定されている。すなわち、巻線部６１の隣り合うターンの間隔を大きくすると、ターン間から漏れる磁束によるターン間の磁気結合の低下や、巻線部６１により発生する磁束が周回する平均磁路長が長くなることによる磁気抵抗の増加によって、１ターン当りに取得できるインダクタンス値が低下する。これにより、所定のインダクタンス値に対して、巻線部６１のターン数を多くすることができ、より高い誘導電圧Ｖinducedが得られる。このように、巻線型インダクタ部品１０は、所定のインダクタンス値が設定されたアンテナコイルとして適切である。
【００３０】
巻線型インダクタ部品１０は、ターン数は１８以上３０以下であり、周波数が１０ＭＨｚの入力信号に対して３．７μＨ±１０％のインダクタンス値を示すことが好ましい。更に、ターン数は２０以上２３以下であり、周波数が１０ＭＨｚの入力信号に対して３．７μＨ±５％のインダクタンス値を示すことが好ましい。本実施形態は、ターン数は２１であり、周波数が１０ＭＨｚの入力信号に対して３．７μＨ±５％のインダクタンス値を示す。ターン数が多いと、より高い誘導電圧Ｖinducedが得られる。一方、ターン数が多くなると、所定のインダクタンス値を設定するために隣り合うターンの間隔をより大きくする必要がある。したがって、ターン数に適切な上限を設定することで巻線型インダクタ部品１０の大型化やＱ値の低下を抑制できる。
【００３１】
巻線型インダクタ部品１０は、周波数が１０ＭＨｚの入力信号に対して２６．５以上１００以下のＱ値を示すことが好ましく、周波数が１０ＭＨｚの入力信号に対して３５以上６０以下のＱ値を示すことがより好ましい。Ｑ値が高い方が損失を小さくできる。一方、Ｑ値に適切な上限を設定することで、共振で得られる信号の帯域を確保できる。
【００３２】
巻線型インダクタ部品１０の軸部２１は、長さ寸法Ｌ２が３ｍｍ以上６ｍｍ以下であり、幅寸法Ｗ２が１．５ｍｍ以上２．７ｍｍ以下であり、高さ寸法Ｔ２が１．５ｍｍ以上２．７ｍｍ以下であることが好ましい。本実施形態において、軸部２１は、長さ寸法Ｌ２が５ｍｍであり、幅寸法Ｗ２が２ｍｍであり、高さ寸法Ｔ２が２ｍｍである。軸部２１の長さ寸法Ｌ２が大きいほど、ターン数をより大きくする余地が得られる。また、軸部２１の幅寸法Ｗ２及び高さ寸法Ｔ２が大きいほど、軸部２１の断面積を大きくできる。これにより、より高い誘導電圧Ｖinducedを得ることができる。一方、軸部２１の長さ寸法Ｌ２、幅寸法Ｗ２及び高さ寸法Ｔ２に適切な上限を設定することで、巻線型インダクタ部品１０の大型化を抑制できる。
【００３３】
巻線型インダクタ部品１０において、コア２０の外形寸法は、長さ寸法Ｌ１が４ｍｍ以上７ｍｍ以下であり、幅寸法Ｗ１が２．０ｍｍ以上３．２ｍｍ以下であり、高さ寸法Ｔ１が２．０ｍｍ以上３．２ｍｍ以下であることが好ましい。なお、コア２０は、長さ寸法Ｌ１が５．５ｍｍであり、幅寸法Ｗ１が２．５ｍｍであり、高さ寸法Ｔ１が２．５ｍｍであることがより好ましい。
【００３４】
巻線型インダクタ部品１０において、第１端子電極４１，第２端子電極４２は、実装面から上端までの高さ寸法Ｔ４が１００μｍ以上２００μｍ以下であることが好ましい。本実施形態において、高さ寸法Ｔ４が１５０μｍである。第１端子電極４１，第２端子電極４２の高さ寸法Ｔ４が大きいほど、実装時の実装はんだの付着量、付着面積が増え、巻線型インダクタ部品１０の実装強度を確保できる。また、第１端子電極４１，第２端子電極４２の高さ寸法Ｔ４が小さいほど、ワイヤ６０により発生した磁束の損失が減り、Ｑ値を高く確保できる。
【００３５】
巻線型インダクタ部品１０において、ワイヤ６０の隣り合うターンの間隔が１００μｍ以上２００μｍ以下である部分が存在することが好ましく、間隔が１５０μｍである部分が存在することがより好ましい。間隔が大きいほど所定のインダクタンス値に対して多くのターン数を巻回できる。一方、間隔に適切な上限を設定することにより、所定寸法の軸部２１（コア２０）で巻線部６１を構成することができる。
【００３６】
巻線部６１の隣り合うターンの間隔は、第１の方向Ｌｄの両端のターンの間隔を除いて均一としてもよい。例えば、巻線部６１の巻幅Ｌ５は、軸部２１の長さ寸法の７０％以上である。
【００３７】
巻線型インダクタ部品１０において、ワイヤ６０の芯線の直径は、３０μｍ以上１００μｍ以下であることが好ましく、５０μｍ以上７０μｍ以下であることがより好ましい。ワイヤ６０の芯線の直径が一定値より大きいことで、電気抵抗成分の増大を抑制し、高いＱ値が得られる。また、ワイヤ６０の芯線の直径が一定値より小さいことで、コア２０に対する巻回、つまりワイヤ６０の加工を容易にできる。
【００３８】
巻線型インダクタ部品１０において、コア２０の比透磁率μrodは５０以上１００以下であることが好ましい。比透磁率μrodが高いほどより高い誘導電圧Ｖinducedを得ることができる。一方、比透磁率μrodに適切な上限を設定することで、高周波（１０ＭＨｚ）での透磁率を維持できる。
【００３９】
［実施例］
次に、巻線型インダクタ部品１０の実施例を挙げて上記実施形態による効果をさらに具体的に説明する。
【００４０】
表１には、３つの実施例における、Ｎ：ターン数［ターン］、Ｌ５：巻線部６１の巻幅［ｍｍ］、インダクタンス値［μＨ］、通信距離［ｃｍ］を示している。実施例の巻線型インダクタ部品１０では、比透磁率μrodが５０の所定形状のコア２０と、直径６０μｍの芯線のワイヤ６０とを用い、表１に示すターン数／巻幅における、インダクタンス値と通信距離を測定した。なお、通信距離は、２つの巻線型インダクタ部品１０の一方に所定の信号を入力した際に、他方において一定以上の誘導電圧が発生する距離の最大値である。
【００４１】
【表１】
2020136393.tif 000004
表１に示すように、ターン数及び巻き幅以外を同じ条件とした巻線型インダクタ部品１０であっても、巻幅を拡げる、すなわち第１の方向Ｌｄにおける巻線部６１の隣り合うターンの間隔を広げることで、所定のインダクタンス値（訳３．７μＨ）に対して、ターン数を増やすことができることがわかる。そして、ターン数が多くなると、通信距離が伸びており、より高い誘導電圧を得られていることがわかる。
【００４２】
以上記述したように、本実施の形態によれば、以下の効果を奏する。
（１）巻線型インダクタ部品１０は、第１の方向Ｌｄに延びる柱状の軸部２１と、軸部２１の第１の方向Ｌｄにおける第１端部，第２端部にそれぞれ設けられた第１支持部２２，第２支持部２３とを有するコア２０と、第１支持部２２，第２支持部２３にそれぞれ設けられた第１端子電極４１，第２端子電極４２と、軸部２１に巻回された巻線部６１と、第１端子電極４１，第２端子電極４２にそれぞれ接続された第１端６２，第２端６３を有するワイヤ６０と、を備える。巻線部６１は、所定のインダクタンス値に対して、軸部２１に巻回されたターン数が多くなるように、第１の方向Ｌｄにおける隣り合うターンの間隔が設定されている。これにより、所定のインダクタンス値が設定されたアンテナコイルとして適切な巻線型インダクタ部品１０を提供できる。
【００４３】
（２）巻線型インダクタ部品１０は、巻線部６１が所定のインダクタンス値に対して、軸部２１に巻回されたターン数が多くなるように、第１の方向Ｌｄにおいて隣り合うターンの間隔が設定されている。これにより、巻線型インダクタ部品１０において、所定のインダクタンス値に対して、巻線部６１のターン数を多くすることができ、高い誘導電圧が得られる。このため、この巻線型インダクタ部品１０は、所定のインダクタンス値が設定されたアンテナコイルとして適切である。
【００４４】
尚、上記実施形態は、以下の態様で実施してもよい。
・上記実施形態では、図１及び図３に示すように、ワイヤ６０の巻線部６１において、隣り合うターンの間隔を均等としたが、間隔は適宜変更されてもよい。
【００４５】
図５に示すように、巻線部６１の中央部分において隣り合うターン間の間隔を他のターンの間隔よりも大きくしてもよい。なお、間隔を大きくターンは、図５に示す中央部分に限定されず、第１支持部２２，第２支持部２３付近やそれらの中間位置など、適宜変更してもよい。また、複数の箇所において、第１の方向Ｌｄにて隣り合うターンの間隔を大きくしてもよい。すなわち、巻線部６１において第１の方向Ｌｄにて隣り合うターンの間隔は均等でなくてもよい。
【００４６】
・上記実施形態に対し、コア２０の形状を適宜変更してもよい。例えば、軸部２１を第１支持部２２，第２支持部２３と同じ幅としてもよい。また、軸部２１の断面形状を、円形状、楕円形状、多角形状、等としてもよい。
【符号の説明】
【００４７】
１０…巻線型インダクタ部品、２０…コア、２１…軸部、２２…第１支持部、２３…第２支持部、４１…第１端子電極、４２…第２端子電極、６０…ワイヤ、６１…巻線部、６２…第１端、６３…第２端、Ｌｄ…第１の方向。
【図１】
2020136393.tif 000005
【図２】
2020136393.tif 000006
【図３】
2020136393.tif 000007
【図４】
2020136393.tif 000008
【図５】
2020136393.tif 000009